(57)【要約】【課題】情報処理装置が安全性の低い宛先にアクセスしてしまうことを防止すること。【解決手段】情報処理装置１００は、ネットワークとの間でデータを送受信する通信部１０３と、ネットワークが安全性の高いネットワークであるか否かを判定する処理、及び、ネットワークが安全性の高いネットワークではないと判定した場合には、データを送信する宛先を制限し、ネットワークが安全性の高いネットワークであると判定した場合には、データを送信する宛先を制限せずに、１０３通信部を介して、データを送信する処理を行う制御部１１４と、を備えることを特徴とする。【選択図】図１
2013038642.tif 000002
【特許請求の範囲】
【請求項１】
ネットワークとの間でデータを送受信する通信部と、
前記ネットワークが安全性の高いネットワークであるか否かを判定する処理、及び、
前記ネットワークが安全性の高いネットワークではないと判定した場合には、前記データを送信する宛先を制限し、前記ネットワークが安全性の高いネットワークであると判定した場合には、前記データを送信する宛先を制限せずに、前記通信部を介して、前記データを送信する処理を行う制御部と、を備えること
を特徴とする情報処理装置。
【請求項２】
操作の入力を受け付ける操作部と、
データを送信する宛先を１つ以上含む宛先リストを記憶する記憶部と、をさらに備え、
前記制御部は、
前記ネットワークが安全性の高いネットワークであると判定した場合に、前記操作部を介して入力された宛先、又は、前記宛先リストに含まれている宛先へ、前記通信部を介して、データを送信し、
前記ネットワークが安全性の高いネットワークではないと判定した場合に、前記宛先リストに含まれている宛先へ、前記通信部を介して、データを送信すること
を特徴とする請求項１に記載の情報処理装置。
【請求項３】
前記通信部が前記ネットワークに接続されている機器からの接続要求を受信した場合に、前記機器にデータを送信するための宛先を前記機器から取得するアクセス解析部をさらに備え、
前記制御部は、前記機器からの要求に応じて、前記アクセス解析部が取得した宛先を前記宛先リストに登録すること
を特徴とする請求項２に記載の情報処理装置。
【請求項４】
前記アクセス解析部は、前記機器の宛先とともに、前記機器の識別情報を取得し、
前記制御部は、前記機器からの要求に応じて、前記アクセス解析部が取得した宛先に対応付けて前記識別情報を前記宛先リストに登録すること
を特徴とする請求項３に記載の情報処理装置。
【請求項５】
前記制御部は、前記宛先リストに含まれている宛先を選択して、データを送信する操作の入力を前記操作部が受け付けた場合には、前記選択された宛先に対応する機器から、当該機器の識別情報を取得し、当該識別情報と、前記選択された宛先に対応付けられて前記宛先リストに登録されている識別情報とが一致した場合に、前記通信部を介して、前記データを送信する処理を行うこと
を特徴とする請求項４に記載の情報処理装置。
【請求項６】
前記ネットワークが安全性の高いネットワークであるか否かを示す接続モード情報を記憶する記憶部をさらに備え、
前記制御部は、前記ネットワークが安全性の高いネットワークであることを前記接続モード情報が示す場合には、前記ネットワークが安全性の高いネットワークであると判定し、前記ネットワークが安全性の高いネットワークではないことを前記接続モード情報が示す場合には、前記ネットワークが安全性の高いネットワークではないと判定すること
を特徴とする請求項１に記載の情報処理装置。
【請求項７】
操作の入力を受け付ける操作部をさらに備え、
前記制御部は、
前記ネットワークが安全性の高いネットワークであることを示す操作の入力を前記操作部が受け付けた場合には、前記ネットワークが安全性の高いネットワークであることを示す接続モード情報を前記記憶部に記憶させ、
前記ネットワークが安全性の高いネットワークでないことを示す操作の入力を前記操作部が受け付けた場合には、前記ネットワークが安全性の高いネットワークではないことを示す接続モード情報を前記記憶部に記憶させること
を特徴とする請求項６に記載の情報処理装置。
【請求項８】
ネットワークとの間でデータを送受信する通信部と、
前記ネットワークが安全性の高いネットワークであるか否かを判定する制御部と、
前記ネットワークが安全性の高いネットワークではないと前記制御部が判定した場合に、前記ネットワークが安全性の高いものであるか否かを確認する接続ネットワーク判定部と、を備え、
前記制御部は、
前記ネットワークが安全性の高いものであることを前記接続ネットワーク判定部が確認できなかった場合には、前記データを送信する宛先を制限し、
前記ネットワークが安全性の高いネットワークであると判定した場合、又は、前記ネットワークが安全性の高いことを前記接続ネットワーク判定部が確認した場合には、前記データを送信する宛先を制限しないこと
を特徴とする情報処理装置。
【請求項９】
前記安全性の高いネットワークは、ローカルエリアネットワークであること
を特徴とする請求項１から８のいずれか一項に記載の情報処理装置。
【発明の詳細な説明】
【技術分野】
【０００１】
本発明は、情報処理装置に関する。
【背景技術】
【０００２】
従来、複合機等の情報処理装置は、スキャナ装置等によって読み取られた画像データを、ネットワークを介して、確実に共有ファイルサーバに格納させるように構成されている。例えば、特許文献１に記載された複合機は、送信先に対してテストデータを送信し、当該送信先からの応答を受信し、受信された応答に基づいて、テストデータが正常に送信先に対して送信されたと判定した場合に、画像データをこの送信先に対して送信することで、読み取った画像データを失敗することなく確実に共有ファイルサーバに格納させることを行っていた。
【先行技術文献】
【特許文献】
【０００３】
【特許文献１】特開２００９−２５３５８８号公報
【発明の概要】
【発明が解決しようとする課題】
【０００４】
しかしながら、従来の情報処理装置では、画像データを送信する宛先を利用者が編集する際に、利用者の入力間違え等により、安全性の低い宛先にアクセスしてしまう場合がある。
そこで、本発明の目的は、情報処理装置が安全性の低い宛先にアクセスしてしまうことを防止することにある。
【課題を解決するための手段】
【０００５】
本発明の一態様に係る情報処理装置は、ネットワークとの間でデータを送受信する通信部と、前記ネットワークが安全性の高いネットワークであるか否かを判定する処理、及び、前記ネットワークが安全性の高いネットワークではないと判定した場合には、前記データを送信する宛先を制限し、前記ネットワークが安全性の高いネットワークであると判定した場合には、前記データを送信する宛先を制限せずに、前記通信部を介して、データを送信する処理を行う制御部と、を備えることを特徴とする。
【発明の効果】
【０００６】
本発明の一態様によれば、安全性の低い宛先にアクセスしてしまうことを防止できる。
【図面の簡単な説明】
【０００７】
【図１】実施の形態１に係る複合機の構成を概略的に示すブロック図である。
【図２】実施の形態１における宛先リスト情報の概略図である。
【図３】実施の形態１に係る複合機をＷＡＮに接続した際のネットワークシステムの構成の一例を示す概略図である。
【図４】実施の形態１に係る複合機をＬＡＮに接続した際のネットワークシステムの構成の一例を示す概略図である。
【図５】実施の形態１に係る複合機をネットワークに接続した際の処理を示すフローチャートである。
【図６】実施の形態１における接続モード選択画面の一例を示す概略図である。
【図７】実施の形態１における宛先リスト読込処理を示すフローチャートである。
【図８】実施の形態１における宛先リスト取得画面の一例を示す概略図である。
【図９】実施の形態１におけるプロファイル情報作成画面の一例を示す概略図である。
【図１０】実施の形態１における編集禁止画面の一例を示す概略図である。
【図１１】実施の形態１における宛先リスト選択画面の一例を示す概略図である。
【図１２】実施の形態１におけるユーザ名編集画面の一例を示す概略図である。
【図１３】実施の形態１において、利用者が使用するコンピュータを宛先リストに登録する際の複合機での処理を示すフローチャートである。
【図１４】実施の形態１における宛先リスト追加画面の一例を示す概略図である。
【図１５】実施の形態１に係る複合機が、利用者の機器から宛先情報を受信した際の処理を示すフローチャートである。
【図１６】実施の形態１に係る複合機が、宛先リストから選択された宛先に対して、スキャンしたデータを送信する際の処理を示すフローチャートである。
【図１７】実施の形態１に係る接続エラー画面の一例を示す概略図である。
【図１８】実施の形態２に係る複合機の構成を概略的に示すブロック図である。
【図１９】実施の形態２に係る複合機をネットワークに接続した際の処理を示すフローチャートである。
【図２０】実施の形態２において、ネットワークを判定し、接続モードを設定する処理を示すフローチャートである。
【図２１】実施の形態２における接続モード確認画面の一例を示す概略図である。
【図２２】実施の形態２におけるルータ使用を促すセキュリティ警告画面の一例を示す概略図である。
【発明を実施するための形態】
【０００８】
実施の形態１．
図１は、実施の形態１に係る複合機１００の構成を概略的に示すブロック図である。複合機１００は、読取部１０１と、画像処理部１０２と、通信部１０３と、記憶部１０４と、操作パネル部１０８と、Ｗｅｂサーバ部１１１と、アクセス解析部１１２と、印刷部１１３と、制御部１１４とを備える。
【０００９】
読取部１０１は、原稿を読み取り、読み取られたデータを画像処理部１０２に与える。
画像処理部１０２は、読取部１０１により読み取られたデータから、画像データを生成する。
通信部１０３は、ネットワークとの間でデータの送受信を行う。
【００１０】
記憶部１０４は、複合機１００での処理に必要な情報を記憶する。例えば、記憶部１０４は、接続モード情報１０５と、プロファイル情報１０６と、宛先リスト情報１０７とを記憶する。
【００１１】
接続モード情報１０５は、複合機１００が、安全性の高いネットワークに接続されているか、又は、安全性の低い危険なネットワークに接続されているかを示す情報である。例えば、本実施の形態においては、接続モード情報１０５は、複合機１００がＷＡＮ（Ｗｉｄｅ  Ａｒｅａ  Ｎｅｔｗｏｒｋ）に直接接続されているＷＡＮ接続モード、又は、複合機１００がＬＡＮ（Ｌｏｃａｌ  Ａｒｅａ  Ｎｅｔｗｏｒｋ）に接続されているＬＡＮ接続モードの何れかであることを示す。ここで、ＷＡＮは、不特定の機器が接続されるネットワークであるため、安全性の低い危険なネットワークである。このため、接続モード情報１０５がＷＡＮ接続モードを示す場合には、複合機１００は、セキュリティを強化するため、一部の機能を制限する。一方、ＬＡＮは、接続される機器を特定することができるネットワークであるため、安全性の高いネットワークである。このため、接続モード情報１０５がＬＡＮ接続モードを示す場合には、複合機１００は、ＷＡＮ接続モードで行われる一部の機能の制限を行わない。
【００１２】
プロファイル情報１０６は、画像データを送信する際に生成される情報である。例えば、本実施の形態においては、画像データを送信する毎に、この画像データを送信する宛先、ユーザ名、パスワード等が利用者により特定され、利用者により特定されたこれらの情報によりプロファイル情報１０６が生成される。
【００１３】
宛先リスト情報１０７は、画像データを送信する、１つ以上の宛先を含む情報である。図２は、宛先リスト情報１０７の概略図である。例えば、本実施の形態においては、宛先リスト情報１０７は、Ｎｏ欄１０７Ａと、宛先アドレス欄１０７Ｂと、宛先ＭＡＣアドレス欄１０７Ｃとを有するテーブル形式の情報である。
Ｎｏ欄１０７Ａは、各々の宛先を識別するための識別番号を格納する。
宛先アドレス欄１０７Ｂは、利用者により登録されたＩＰアドレスを含む通信アドレスを格納する。本実施の形態では、通信アドレスは、ＩＰアドレスに、画像データを格納する格納先を示す情報を付加することにより構成されている。ここで、ＩＰアドレスは、画像データを送信する際の宛先となる。
宛先ＭＡＣアドレス欄１０７Ｃは、利用者により登録されたＭＡＣアドレスを格納する。ここで、ＭＡＣアドレスは、利用者が利用する機器の識別情報となる。
【００１４】
図１に戻り、操作パネル部１０８は、利用者からの指示の入力を受け付け、また、利用者に画面を表示する。例えば、本実施の形態では、操作パネル部１０８は、操作部１０９と、表示部１１０とを備える。
操作部１０９は、利用者からの指示の入力を受け付け、表示部１１０は、利用者に画面を表示する。例えば、本実施の形態においては、操作部１０９及び表示部１１０は、タッチパネルにより実現することができる。なお、操作部１０９には、入力ボタン等を有する入力デバイスが含まれていてもよい。
【００１５】
Ｗｅｂサーバ部１１１は、通信部１０３を介して、ネットワークに接続されている機器とＷｅｂページによる通信処理を行う。例えば、Ｗｅｂサーバ部１１１は、利用者が複合機１００の設定変更等を行うためのＷｅｂページを生成し、通信部１０３を介して、このＷｅｂページを他の機器に送信する処理を行う。また、Ｗｅｂサーバ部１１１は、利用者の使用する機器がＷｅｂページを用いて送信してきたデータを、通信部１０３より受け取り、このデータを処理する。
【００１６】
アクセス解析部１１２は、利用者が使用するコンピュータ等の機器が、複合機１００にアクセスしてきた際に、この機器のＩＰアドレス及びＭＡＣアドレスを解析する。
【００１７】
印刷部１１３は、データの編集、展開及び印刷を行う。例えば、印刷部１１３は、読取部１０１で読み取られた画像データに基づく画像の印刷、通信部１０３で受信された印刷データに基づく画像の印刷を行う。
【００１８】
制御部１１４は、複合機１００で行う処理を制御する。例えば、制御部１１４は、以上に記載した各部を制御する。
【００１９】
図３は、複合機１００をＷＡＮ１６０に接続した際のネットワークシステム１３０の構成の一例を示す概略図である。ネットワークシステム１３０は、複合機１００と、ＰＣ１４０と、ＦＴＰサーバ１５０とを備える。複合機１００、ＰＣ１４０及びＦＴＰサーバ１５０は、ＷＡＮ１６０を介して、インターネット１７０に接続されている。
【００２０】
利用者が利用する機器としてのＰＣ１４０は、通信部１４１と、Ｗｅｂブラウザ部１４２と、表示部１４３と、入力部１４４とを備える。
通信部１４１は、ＷＡＮ１６０との間でデータの送受信を行う。
Ｗｅｂブラウザ部１４２は、通信部１４１よりデータを受け取り、受け取ったデータに基づいて、Ｗｅｂページを生成して、表示部１４３に表示させる処理を行う。また、Ｗｅｂブラウザ部１４２は、Ｗｅｂページを介して、入力部１４４が入力を受け付けた操作に基づく処理を実行する。例えば、Ｗｅｂブラウザ部１４２は、Ｗｅｂページを介して、入力部１４４を介して入力されたデータを、通信部１４１を介して、ＷＡＮ１６０に送信する処理を行う。
表示部１４３は、利用者に画面を表示する。
入力部１４４は、利用者からの操作の入力を受け付ける。
【００２１】
ＦＴＰサーバ１５０は、通信部１５１と、情報処理部１５２と、格納部１５３とを備える。
通信部１５１は、ＷＡＮ１６０との間でデータの送受信を行う。ここで、通信部１５１は、ＴＣＰ／ＩＰを用いて通信を行う。
情報処理部１５２は、ＦＴＰサーバ１５０での処理の全体を制御する。例えば、情報処理部１５２は、複合機１００から宛先リストの送信要求を受けた場合に、格納部１５３から、送信要求に含まれているパスに格納されている宛先リストを取得して、取得された宛先リストを複合機１００に送信する処理を行う。
格納部１５３は、データを格納する。例えば、格納部１５３は、宛先リストを格納する。
【００２２】
図４は、複合機１００をＬＡＮ１６１に接続した際のネットワークシステム１３１の構成の一例を示す概略図である。ネットワークシステム１３１は、複合機１００と、ＰＣ１４０と、ＦＴＰサーバ１５０とを備える。複合機１００、ＰＣ１４０及びＦＴＰサーバ１５０は、ＬＡＮ１６１を介して、インターネット１７０に接続されている。なお、ＬＡＮ１６１に接続されている機器は、ルータ１６２を介して、インターネット１７０に接続することができる。なお、ＰＣ１４０及びＦＴＰサーバ１５０の構成は、図３に示されているものと同様である。
【００２３】
以下、本実施の形態に係る複合機１００の動作について説明する。
【００２４】
図５は、複合機１００をネットワークに接続した際の処理を示すフローチャートである。
まず、利用者が複合機１００を初めて利用する場合、複合機１００に初期設定が行われる前は、複合機１００は、ネットワーク機能が動作しないように制限された状態になっている。そのため、利用者は、まずは初期設定を行う。複合機１００の制御部１１４は、初期設定時に、図示しない初期設定画面を表示部１１０に表示させる（Ｓ１０）。複合機１００の利用者は、操作部１０９を介して、ネットワーク等の設定を行う。そして、複合機１００の制御部１１４は、ネットワークの初期設定完了を待つ（Ｓ１１）。
【００２５】
ネットワークの初期設定が完了すると（ステップＳ１１でＹｅｓ）、制御部１１４は、利用者から接続モードの選択を受け付けるための接続モード選択画面を表示部１１０に表示させる（Ｓ１２）。図６は、接続モード選択画面ＳＭＰの一例を示す概略図である。接続モード選択画面ＳＭＰは、ＷＡＮモード選択領域ＳＭＰ１と、ＬＡＮモード選択領域ＳＭＰ２と、ＯＫ入力領域ＳＭＰ３と、キャンセル入力領域ＳＭＰ４とを有する。
【００２６】
そして、制御部１１４は、利用者が、ＷＡＮモードを選択した場合（ステップＳ１３でＹｅｓ）、例えば、利用者が、図６に示されている接続モード選択画面ＳＭＰにおいて、操作部１０９を用いて、ＷＡＮモード選択領域ＳＭＰ１を選択して、ＯＫ入力領域ＳＭＰ３を指定した実行指示の入力を行った場合、又は、キャンセル入力領域ＳＭＰ４を指定した実行指示の入力を行った場合には、複合機１００にＷＡＮモードの設定を行う（Ｓ１４）。例えば、制御部１１４は、記憶部１０４に記憶されている接続モード情報１０５がＷＡＮモードを示すようにする。
【００２７】
次に、制御部１１４は、ＷＡＮモードで画像データを送信することのできる宛先を含む宛先リストを読み込む宛先リスト読込処理を行う（Ｓ１５）。この処理については、図７を用いて詳細に説明する。
【００２８】
一方、制御部１１４は、利用者が、ＬＡＮモードを選択した場合（Ｓ１３でＮｏ）、例えば、利用者が、接続モード選択画面ＳＭＰにおいて、操作部１０９を用いて、ＬＡＮモード選択領域ＳＭＰ２を選択して、ＯＫ入力領域ＳＭＰ３を指定した実行指示の入力を行った場合には、複合機１００にＬＡＮモードの設定を行う（Ｓ１６）。例えば、制御部１１４は、記憶部１０４に記憶されている接続モード情報１０５がＬＡＮモードを示すようにする。
【００２９】
図７は、宛先リスト読込処理を示すフローチャートである。
まず、複合機１００の制御部１１４は、利用者に取得する宛先リストを指定させるための宛先リスト取得画面を表示部１１０に表示させる（Ｓ２０）。図８は、宛先リスト取得画面ＡＬＰの一例を示す概略図である。宛先リスト取得画面ＡＬＰは、読み取りファイル入力領域ＡＬＰ１と、ユーザ名入力領域ＡＬＰ２と、パスワード入力領域ＡＬＰ３と、ＯＫ入力領域ＡＬＰ４と、キャンセル入力領域ＡＬＰ５とを有する。ＷＡＮモード時は、スキャンにより生成された画像データを送信する際に、複合機１００の安全性を確保して画像データを送信する必要があるため、本実施の形態における複合機１００は、ＷＡＮモード時には、利用者による宛先の直接入力を禁止している。このため、本実施の形態における複合機１００は、宛先リスト取得画面ＡＬＰを表示して、予め管理者が用意した宛先リストを読み込み、複合機１００内に宛先リスト情報１０７を作成することができるようにしている。
【００３０】
そして、制御部１１４は、利用者が、操作部１０９を用いて、宛先リストの取得指示を入力した場合（ステップＳ２１でＹｅｓ）には、入力された情報を含む送信要求を生成し、通信部１０３を介して、ＦＴＰサーバ１５０に送信する処理を行う（Ｓ２２）。例えば、利用者は、操作部１０９を用いて、図８に示されている宛先リスト取得画面ＡＬＰにおいて、読み取りファイル入力領域ＡＬＰ１に、取得する宛先リストが格納されているサーバパスを入力し、ユーザ名入力領域ＡＬＰ２に、ＦＴＰサーバ１５０にログインするためのユーザ名を入力し、パスワード入力領域ＡＬＰ３に、ＦＴＰサーバ１５０にログインするためのパスワードを入力して、ＯＫ入力領域ＡＬＰ４を指定した実行指示の入力を行うことにより、宛先リストの取得指示の入力を行う。
【００３１】
このような送信要求を受信したＦＴＰサーバ１５０では、情報処理部１５２が、送信要求に含まれているユーザ名及びパスワードの検証を行い、検証に成功した場合には、情報処理部１５２は、格納部１５３から、送信要求に含まれているパスに格納されている宛先リストを取得する。そして、情報処理部１５２は、通信部１５１を介して、取得された宛先リストを複合機１００に送信する処理を行う。
【００３２】
複合機１００の制御部１１４は、通信部１０３が宛先リストを受信すると（Ｓ２３）、制御部１１４は、受信された宛先リストに含まれている通信アドレス及びＭＡＣアドレスを、記憶部１０４に記憶されている宛先リスト情報１０７に登録する（Ｓ２４）。
【００３３】
次に、ＷＡＮモード時に、利用者が画像データを送信する際の制御部１１４の処理を説明する。ここで、本実施の形態においては、利用者が、スキャンにより生成された画像データを送信したい場合には、プロファイル情報を作成する必要があるものとする。
【００３４】
まず、制御部１１４は、利用者より、操作部１０９を介して、スキャンにより生成された画像データを送信する指示の入力を受けると、画像データを送信するために必要な情報の入力を受け付けるプロファイル情報作成画面を表示部１１０に表示させる。図９は、プロファイル情報作成画面ＰＣＰの一例を示す概略図である。プロファイル情報作成画面ＰＣＰは、プロファイル名入力領域ＰＣＰ１と、宛先入力領域ＰＣＰ２と、宛先リスト表示指示入力領域ＰＣＰ３と、ユーザ名入力領域ＰＣＰ４と、パスワード入力領域ＰＣＰ５と、前表示指示入力領域ＰＣＰ６と、次表示指示入力領域ＰＣＰ７と、ＯＫ入力領域ＰＣＰ８と、キャンセル入力領域ＰＣＰ９とを有する。
【００３５】
プロファイル名入力領域ＰＣＰ１は、各々のプロファイルを識別するための識別情報であるプロファイル名の入力を受け付ける。
宛先入力領域ＰＣＰ２は、画像データを送信する宛先のＩＰアドレスを含む通信アドレスの入力を受け付ける。
ユーザ名入力領域ＰＣＰ４は、利用者のユーザ名の入力を受け付ける。
パスワード入力領域ＰＣＰ５は、このプロファイル情報作成画面ＰＣＰを介して生成されるプロファイルにアクセスするためのパスワードの入力を受け付ける。
そして、これらの入力領域に必要な情報が入力されて、ＯＫ入力領域ＰＣＰ８を指定した実行指示の入力が行われると、制御部１１４は、入力された情報からプロファイルを生成し、このプロファイルを記憶部１０４に記憶されているプロファイル情報１０６に登録する。
【００３６】
ここで、記憶部１０４に記憶されている接続モード情報１０５がＷＡＮモードを示す場合には、利用者は、操作部１０９を用いて、宛先入力領域ＰＣＰ２に直接宛先の通信アドレスを入力することができないようになっている。このため、制御部１１４は、利用者が、操作部１０９を用いて、宛先入力領域ＰＣＰ２への入力を選択する指示の入力を行った場合には、例えば、図１０に示すような編集禁止画面ＥＦＰを表示部１１０に表示させる。図１０は、編集禁止画面ＥＦＰの一例を示す概略図である。編集禁止画面ＥＦＰは、編集禁止警告表示領域ＥＦＰ１と、閉じる指示入力領域ＥＦＰ２とを有する。なお、制御部１１４は、利用者が、操作部１０９を用いて、閉じる指示入力領域ＥＦＰ２を指定した実行指示を入力した場合には、図９に示されているプロファイル情報作成画面ＰＣＰを表示部１１０に表示させる。また、編集禁止警告表示領域ＥＦＰ１では、宛先リストから宛先となる通信アドレスを選択すべきことを通知してもよい。
【００３７】
そして、制御部１１４は、図９に示されているプロファイル情報作成画面ＰＣＰにおいて、利用者が、操作部１０９を用いて、宛先リスト表示指示入力領域ＰＣＰ３を指定した実行指示の入力を行った場合には、記憶部１０４に記憶されている宛先リスト情報１０７から宛先リスト選択画面を生成して、表示部１１０に表示させる。
【００３８】
図１１は、宛先リスト選択画面ＳＡＰの一例を示す概略図である。宛先リスト選択画面ＳＡＰは、宛先選択領域ＳＡＰ１と、前表示指示入力領域ＳＡＰ２と、次表示指示入力領域ＳＡＰ３と、ＯＫ入力領域ＳＡＰ４と、キャンセル入力領域ＳＡＰ５とを有する。利用者が、操作部１０９を用いて、宛先選択領域ＳＡＰ１において、宛先とする通信アドレスを選択して、ＯＫ入力領域ＳＡＰ４を指定した実行指示の入力を行うことで、制御部１１４は、図９に示されているプロファイル情報作成画面ＰＣＰの宛先入力領域ＰＣＰ２に、選択された通信アドレスを入力する。なお、制御部１１４は、利用者が、操作部１０９を用いて、前表示指示入力領域ＳＡＰ２を指定した実行指示の入力を行った場合には、現在表示されている通信アドレスのリストの１つ前に表示されていた通信アドレスを宛先選択領域ＳＡＰ１に表示し、一方、次表示指示入力領域ＳＡＰ３を指定した実行指示の入力を行った場合には、宛先リスト情報１０７において、現在表示されている通信アドレスよりも後に登録されている通信アドレスを宛先選択領域ＳＡＰ１に表示する。
【００３９】
なお、記憶部１０４に記憶されている接続モード情報１０５がＬＡＮモードを示す場合には、利用者は、操作部１０９を用いて、宛先入力領域ＰＣＰ２に直接宛先の通信アドレスを入力することもでき、また、宛先リスト情報１０７から宛先を選択することもできる。
【００４０】
また、制御部１１４は、図９に示されているプロファイル情報作成画面ＰＣＰにおいて、利用者が、操作部１０９を用いて、ユーザ名入力領域ＰＣＰ４への入力を選択する指示の入力を行った場合には、例えば、図１２に示すようなユーザ名編集画面ＵＩＰを表示部１１０に表示させ、利用者にユーザ名を入力させる。
【００４１】
なお、制御部１１４は、図９に示されているプロファイル情報作成画面ＰＣＰにおいて、利用者が、操作部１０９を用いて、前表示指示入力領域ＰＣＰ６を指定した実行指示の入力を行った場合には、現在表示されているプロファイル情報作成画面ＰＣＰの１つ前に表示されていたプロファイル情報作成画面ＰＣＰを表示部１１０に表示させる。一方、制御部１１４は、利用者が、操作部１０９を用いて、次表示指示入力領域ＰＣＰ７を指定した実行指示の入力を行った場合には、現在表示されているプロファイルの次に入力されたプロファイルがある場合には、このようなプロファイルのプロファイル情報作成画面ＰＣＰを表示部１１０に表示させ、このようなプロファイルがない場合には、次のプロファイルを入力するための新たなプロファイル情報作成画面ＰＣＰを表示部１１０に表示させる。
【００４２】
そして、制御部１１４は、図９に示されているプロファイル情報作成画面ＰＣＰにおいて、領域ＰＣＰ１、２、４、５に必要な情報が入力され、利用者が、操作部１０９を用いて、ＯＫ入力領域ＰＣＰ８を指定した実行指示の入力を行った場合には、領域ＰＣＰ１、２、４、５に入力された情報からプロファイルを生成して、このプロファイルを、記憶部１０４に記憶されているプロファイル情報１０６に登録する。
【００４３】
図１３は、利用者が使用する機器（例えば、コンピュータ）を宛先リストに登録する際の複合機１００での処理を示すフローチャートである。宛先リストに、自身のコンピュータを登録する利用者は、宛先リストに登録する機器で、図１０に示されている編集禁止画面ＥＦＰの編集禁止警告表示領域ＥＦＰ１に示されているＵＲＬにアクセスする。
【００４４】
複合機１００の制御部１１４は、所定のＵＲＬにアクセスがあるまで待機する（Ｓ３０）。そして、制御部１１４は、アクセスがあった場合（ステップＳ３０でＹｅｓ）には、自身である複合機１００がＷＡＮモードになっているか否かを確認する（Ｓ３１）。例えば、制御部１１４は、記憶部１０４に記憶されている接続モード情報１０５が、ＷＡＮモードを示すものである場合には、自身である複合機１００がＷＡＮモードになっていると判断する。そして、制御部１１４は、自身である複合機１００がＷＡＮモードになっている場合（ステップＳ３１でＹｅｓ）には、ステップＳ３２の処理に進み、自身である複合機１００がＷＡＮモードになっていない場合（ステップＳ３１でＮｏ）には、ステップＳ３４の処理に進む。
【００４５】
ステップＳ３２では、アクセス解析部１１２は、アクセスしてきた機器のＩＰアドレス及びＭＡＣアドレスを解析する。例えば、アクセス解析部１１２は、アクセス要求のパケットを解析することにより、アクセスしてきた機器のＩＰアドレス及びＭＡＣアドレスを特定する。なお、ＷＡＮの途中でＭＡＣアドレスが変換されてしまう可能性もあるので、利用者が利用する機器は、アクセス要求のパケット（ＩＰパケット）のペイロードの部分に当該機器のＭＡＣアドレスを格納することが望ましい。
【００４６】
次に、Ｗｅｂサーバ部１１１は、ステップＳ３２で解析されたＩＰアドレス及びＭＡＣアドレスを含む宛先リスト追加画面のＷｅｂページを作成する（Ｓ３３）。図１４は、宛先リスト追加画面ＡＡＰの一例を示す概略図である。宛先リスト追加画面ＡＡＰは、アドレス表示領域ＡＡＰ１と、登録先入力領域ＡＡＰ２と、登録入力領域ＡＡＰ３と、キャンセル入力領域ＡＡＰ４とを有する。
アドレス表示領域ＡＡＰ１は、ステップＳ３２で、アクセス解析部１１２が特定したＩＰアドレス及びＭＡＣアドレスを表示する領域である。
登録先入力領域ＡＡＰ２は、画像データを格納する格納先の入力を受け付けるための領域である。
そして、以上のような宛先リスト追加画面ＡＡＰにおいて、登録先入力領域ＡＡＰ２に、必要な情報が入力されて、登録入力領域ＡＡＰ３を指定した実行指示が入力されると、入力された宛先情報が、通信部１０３を介して、Ｗｅｂサーバ部１１１に送信される。
【００４７】
一方、ステップＳ３４では、ＷＡＮモードになっていないため、Ｗｅｂサーバ部１１１は、制限なしであることを通知するための通常表示画面（図示せず）のＷｅｂページを作成する。
【００４８】
そして、Ｗｅｂサーバ部１１１は、通信部１０３を介して、ステップＳ３３又はステップＳ３４で作成されたＷｅｂページを、ステップＳ３０でアクセスしてきた機器に送信する処理を行う（Ｓ３５）。
【００４９】
図１５は、複合機１００が、利用者の機器から宛先情報を受信した際の処理を示すフローチャートである。
複合機１００のＷｅｂサーバ部１１１は、利用者の機器から宛先情報が送信されてくるまで待機し（Ｓ４０）、通信部１０３が宛先情報を受信した場合（ステップＳ４０でＹｅｓ）には、この宛先情報が通信部１０３からＷｅｂサーバ部１１１に送られる。
【００５０】
宛先情報を受け取ったＷｅｂサーバ部１１１は、この宛先情報と、アクセス解析部１１２が図１３のステップＳ３２で特定したＩＰアドレス及びＭＡＣアドレスとを制御部１１４に与える。制御部１１４では、受け取ったＩＰアドレスに、受け取った宛先情報を追加することで、通信アドレスを生成し、この通信アドレスと受け取ったＭＡＣアドレスとを対応付けて、記憶部１０４に記憶されている宛先リスト情報に登録する（Ｓ４１）。
【００５１】
なお、複合機１００を操作することができる利用者のみに、宛先の登録を行うことができるようにするため、例えば、Ｗｅｂサーバ部１１１は、図１４に示されている宛先リスト追加画面ＡＡＰに、「５分以内に装置の操作パネルに表示された登録ボタンをタッチしてください」という、複合機１００に対する操作を要求する操作メッセージを追加して表示させるとともに、複合機１００の操作パネル部１０８に登録ボタンを表示させる。そして、制御部１１４は、利用者が複合機１００の操作パネル部１０８に表示された登録ボタンを、宛先リスト追加画面ＡＡＰのＷｅｂページを送信してから５分以内にタッチしないと、宛先の登録を行わないようにしてもよい。
【００５２】
図１６は、複合機１００が、宛先リストから選択された宛先に対して、スキャンしたデータを送信する際の処理を示すフローチャートである。
まず、制御部１１４は、選択された宛先に含まれているＩＰアドレスに対して接続を行う（Ｓ５０）。
【００５３】
次に、制御部１１４は、接続した機器のＭＡＣアドレスを確認する処理を行う（Ｓ５１）。例えば、制御部１１４は、機器に接続した際の応答パケットから当該機器のＭＡＣアドレスを取得して、このＭＡＣアドレスを確認する。なお、ＷＡＮの途中でＭＡＣアドレスが変換されてしまう可能性もあるので、利用者が利用する機器は、接続に対する応答パケット（ＩＰパケット）のペイロードの部分に当該機器のＭＡＣアドレスを格納することが望ましい。
【００５４】
そして、制御部１１４は、記憶部１０４の宛先リスト情報１０７において、接続した機器のＩＰアドレスを含む通信アドレスに対応付けられているＭＡＣアドレスと、接続した機器のＭＡＣアドレスとが一致している場合（ステップＳ５２でＹｅｓ）には、ステップＳ５３の処理に進み、一致していない場合（ステップＳ５２でＮｏ）には、ステップＳ５４の処理に進む。
【００５５】
ステップＳ５３では、制御部１１４は、通信部１０３を介して、画像処理部１０２で生成された画像データを送信する処理を行う。
【００５６】
一方、ステップＳ５４では、制御部１１４は、図１７に示すような、接続先の機器の宛先が、宛先リスト情報１０７に登録されている宛先と異なっていることを示す接続エラー画面ＥＲＰを生成し、表示部１１０に表示させる。
【００５７】
以上のように、実施の形態１に係る複合機１００によれば、複合機１００がＷＡＮに直接接続された場合に、不正なサイトにアクセスすることを防止することができる。
【００５８】
実施の形態２．
実施の形態２では、初期設定時にＷＡＮ接続モードが選択された場合に、複合機１００が、接続されたネットワークの判定を自発的に行い、その結果により利用者に設定変更を促すように構成されている。
【００５９】
図１８は、実施の形態２に係る複合機２００の構成を概略的に示すブロック図である。複合機２００は、読取部１０１と、画像処理部１０２と、通信部１０３と、記憶部１０４と、操作パネル部１０８と、Ｗｅｂサーバ部１１１と、アクセス解析部１１２と、印刷部１１３と、制御部２１４と、接続ネットワーク判定部２１５とを備える。実施の形態２に係る複合機２００は、制御部２１４での処理の点、及び、接続ネットワーク判定部２１５が備えられている点において、実施の形態１に係る複合機１００と異なっている。
【００６０】
実施の形態２における制御部２１４は、実施の形態１における制御部１１４とほぼ同様の処理を行うが、以下の処理において異なっている。
実施の形態１における制御部１１４は、複合機１００がネットワークに接続された際に、利用者がＷＡＮモードを選択すると（図５のステップＳ１３でＹｅｓ）、ＷＡＮモードの設定を行い（Ｓ１４）、宛先リストを読み込んでいる（Ｓ１５）。これに対して、実施の形態２では、制御部２１４がＷＡＮモードの設定を行った後に、接続ネットワーク判定部２１５がネットワークの判定を行い、複合機２００がＬＡＮに接続されていないことを接続ネットワーク判定部２１５が確認した場合に、制御部２１４は、宛先リストを読み込む。
【００６１】
接続ネットワーク判定部２１５は、複合機２００の接続されたネットワークが、ＷＡＮであるのか、ＬＡＮであるのかを判定する。
【００６２】
次に、実施の形態２に係る複合機２００における動作を説明する。
図１９は、複合機２００をネットワークに接続した際の処理を示すフローチャートである。図１９のステップＳ１０〜Ｓ１４までの処理、及び、ステップＳ１６の処理は、図５のステップＳ１０〜Ｓ１４までの処理、及び、ステップＳ１６の処理と同様である。
そして、ステップＳ１４において、制御部２１４がＷＡＮモードの設定を行った場合には、ステップＳ６５の処理に進む。
【００６３】
ステップＳ６５では、利用者の間違いにより複合機２００がＬＡＮに接続されているにも関わらず、複合機２００がＷＡＮ接続モードで動作することをさけるため、接続ネットワーク判定部２１５は、複合機２００の接続されているネットワークがＬＡＮであるのか、ＷＡＮであるのかを判定する処理を行う。そして、制御部２１４は、この判定結果に応じて、ＬＡＮモードを設定する処理を行う。ここで行われる処理については、図２０を用いて詳細に説明する。
【００６４】
そして、制御部２１４は、ステップＳ６５でＬＡＮモードが設定されたか否かを確認して（Ｓ６６）、ＬＡＮモードが設定された場合（ステップＳ６６でＹｅｓ）には、処理を終了し、ＬＡＮモードが設定されなかった場合（ステップＳ６６でＮｏ）には、ステップＳ６７の処理に進む。
【００６５】
ステップＳ６７では、制御部２１４は、ＷＡＮモードで画像データを送信することのできる宛先を示す宛先リストを読み込む宛先リスト読込処理を行う。この処理の詳細は、図７に示されている。
【００６６】
図２０は、図１９のステップＳ６５におけるネットワークを判定し、接続モードを設定する処理を示すフローチャートである。
まず、接続ネットワーク判定部２１５は、複合機２００自身のＩＰアドレスがプライベートアドレスか否かを確認する（Ｓ７０）。そして、接続ネットワーク判定部２１５は、複合機２００自身のＩＰアドレスがプライベートアドレスである場合（ステップＳ７０でＹｅｓ）には、ステップＳ７３の処理に進み、複合機２００自身のＩＰアドレスがプライベートアドレスではない場合（ステップＳ７０でＮｏ）には、ステップＳ７１の処理に進む。
【００６７】
ステップＳ７１では、接続ネットワーク判定部２１５は、通信部１０３を介して、ネットワーク経路調査コマンドを、複合機２００が接続されているネットワークに送信する処理を行う。例えば、このネットワーク経路調査コマンドは、「ｔｒａｃｅｒｏｕｔｅ」等である。
【００６８】
次に、接続ネットワーク判定部２１５は、ネットワーク経路調査コマンドへの応答により取得された、近隣のルータのＩＰアドレスがプライベートアドレスであるか否かを判定する（Ｓ７２）。そして、接続ネットワーク判定部２１５は、複合機２００に最も近い近隣ルータのＩＰアドレスがプライベートアドレスである場合（ステップＳ７２でＹｅｓ）には、ステップＳ７３の処理に進み、近隣ルータのＩＰアドレスがプライベートアドレスではない場合（ステップＳ７２でＮｏ）には、ステップＳ７７の処理に進む。
【００６９】
ステップＳ７３では、利用者はＷＡＮ接続モードを選択したが、実際には、複合機２００はＬＡＮに接続されている可能性がある。そのため、接続ネットワーク判定部２１５は、利用者に複合機２００が接続されているネットワークを確認してもらうための接続モード確認画面を、表示部１１０に表示させる。図２１は、接続モード確認画面ＣＭＰの一例を示す概略図である。接続モード確認画面ＣＭＰは、ＬＡＮ確認入力領域ＣＭＰ１と、ＷＡＮ確認入力領域ＣＭＰ２と、不明確認入力領域ＣＭＰ３と、ＯＫ入力領域ＣＭＰ４とを有する。
【００７０】
接続ネットワーク判定部２１５は、接続モード確認画面ＣＭＰにおいて、操作部１０９を介して、ネットワーク接続の確認の入力を受け付ける（Ｓ７４）。
【００７１】
そして、接続ネットワーク判定部２１５は、利用者が、ＬＡＮに接続されていることを確認した場合（ステップＳ７５でＹｅｓ）には、ステップＳ７６の処理に進む。例えば、利用者は、接続モード確認画面ＣＭＰにおいて、操作部１０９を介して、ＬＡＮ確認入力領域ＣＭＰ１を選択して、ＯＫ入力領域ＣＭＰ４を指定した実行指示の入力を行うことにより、ＬＡＮに接続されていることを確認する。一方、接続ネットワーク判定部２１５は、利用者が、ＬＡＮに接続されていないことを確認した場合（ステップＳ７５でＮｏ）には、処理を終了する。例えば、利用者は、接続モード確認画面ＣＭＰにおいて、操作部１０９を介して、ＷＡＮ確認入力領域ＣＭＰ２又は不明確認入力領域ＣＭＰ３を選択して、ＯＫ入力領域ＣＭＰ４を指定した実行指示の入力を行うことにより、ＬＡＮに接続されていないことを確認することができる。
【００７２】
ステップＳ７６では、制御部２１４は、複合機２００にＬＡＮモードの設定を行う。例えば、制御部２１４は、記憶部１０４に記憶されている接続モード情報１０５がＬＡＮモードを示すようにする。
【００７３】
また、ステップＳ７２において、近隣のルータのＩＰアドレスがプライベートアドレスではない場合（ステップＳ７２でＮｏ）には、接続ネットワーク判定部２１５は、ステップＳ７７の処理に進む。
【００７４】
ステップＳ７７では、複合機２００がＷＡＮに接続されている可能性が高く、かつ、複合機２００がルータを使用せずにＷＡＮに接続されている可能性が高い。そのため、接続ネットワーク判定部２１５は、図２２に示すような、ルータの使用を促すセキュリティ警告画面ＳＷＰを表示部１１０に表示させる。そして、接続ネットワーク判定部２１５は、セキュリティ警告画面ＳＷＰにおいて、利用者が、操作部１０９を介して、閉じる入力領域ＳＷＰ１を指定した実行指示の入力を行うと、処理を終了する。
【００７５】
以上のように、実施の形態２に係る複合機２００によれば、利用者がＷＡＮモードを選択した場合に、複合機２００が接続されているネットワークの検査を行い、ＬＡＮに接続されている可能性がある場合に利用者に通知を行うことで、不要な制限がかけられることを防止することができる。
【００７６】
以上に記載した実施の形態１及び２においては、通信アドレスは、ＩＰアドレスに、画像データを格納する格納先を示す情報を付加することにより構成されているが、通信アドレスは、ＩＰアドレスそのものであってもよい。
【００７７】
以上に記載した実施の形態１及び２は、複合機１００、２００を例にして説明されているが、データを送信することのできる情報処理装置であればどのような装置でもよく、例えば、コンピュータ、プリンタ、スキャナ、複写機等であってもよい。
【符号の説明】
【００７８】
１００，２００：複合機、  １０１：読取部、  １０２：画像処理部、  １０３：通信部、  １０４：記憶部、  １０８：操作パネル部、  １１１：Ｗｅｂサーバ部、  １１２：アクセス解析部、  １１３：印刷部、  １１４，２１４：制御部、  ２１５：接続ネットワーク判定部。
【図１】
2013038642.tif 000003
【図２】
2013038642.tif 000004
【図３】
2013038642.tif 000005
【図４】
2013038642.tif 000006
【図５】
2013038642.tif 000007
【図６】
2013038642.tif 000008
【図７】
2013038642.tif 000009
【図８】
2013038642.tif 000010
【図９】
2013038642.tif 000011
【図１０】
2013038642.tif 000012
【図１１】
2013038642.tif 000013
【図１２】
2013038642.tif 000014
【図１３】
2013038642.tif 000015
【図１４】
2013038642.tif 000016
【図１５】
2013038642.tif 000017
【図１６】
2013038642.tif 000018
【図１７】
2013038642.tif 000019
【図１８】
2013038642.tif 000020
【図１９】
2013038642.tif 000021
【図２０】
2013038642.tif 000022
【図２１】
2013038642.tif 000023
【図２２】
2013038642.tif 000024